(57)【要約】【課題】保護網の金型の小型化、簡素化を図り、コストの低減を図った空気調和機を提供する。【解決手段】熱交換器１２を内設した室外機１０の背面に、前記熱交換器１２の背面を保護する保護網１３を設け、前記保護網１３を、それぞれ合成樹脂の押し出し成形で形成され格子状に交差した複数の縦桟１５と横桟１６と、前記縦桟１５と前記横桟１６の交差部１８を固定する固定具１７とで構成したもので、縦桟１５と横桟１６を成型する金型は、押し出し成形用の小型の口金だけで済み、また固定具１７の成形金型も小型化が図れるので、縦桟１５と横桟１６を一体に成形した従来の保護網の大型の成形金型と比べ、安価な金型で成形でき、高額な金型費用の発生を抑制することができる。【選択図】図１
2008224169.tif 000002
【特許請求の範囲】
【請求項１】
熱交換器を内設した室外機の背面に、前記熱交換器の背面を保護する保護網を設け、前記保護網を、それぞれ合成樹脂の押し出し成形で形成され格子状に交差した複数の縦桟と横桟と、前記縦桟と前記横桟の交差部を固定する固定具とで構成したことを特徴とする空気調和機。
【請求項２】
縦桟の全長を、横桟の全長の半分にしたことを特徴とする請求項１に記載の空気調和機。
【発明の詳細な説明】
【技術分野】
【０００１】
本発明は、空気調和機に関するもので、特に、空気調和機の室外機に内設された熱交換器を保護する保護網の構造に関するものである。
【背景技術】
【０００２】
従来の空気調和機の室外機の熱交換器を保護する保護網は、格子状の保護網と外気温度を検知するサーミスタの固定具とが一体的に形成されたものがあった（例えば、特許文献１参照）。図４は、前記特許文献１に記載された従来の空気調和機の室外機の熱交換器の保護網の構造を示す空気調和機の斜視図である。
【０００３】
図４において、従来の空気調和機の室外機９は、その背面および一側面に吸込口１を備え、熱交換器２を保護する格子状の保護網３と外気温度を検知するサーミスタ（図示せず）を固定する固定具４とが一体的に形成されていた。
【特許文献１】特開２００３−１３０３９７号公報
【発明の開示】
【発明が解決しようとする課題】
【０００４】
しかしながら、上記従来の空気調和機の熱交換器２の保護網３の構成では、熱交換器２の背面を保護する保護網３と外気温度を検知するサーミスタの固定具４を一体的に形成しているところから、縦桟と横桟を交差してなる保護網３全体が一体成形されたものであり、成形金型が大型のものになり、金型の費用が高くつき保護網３がコスト的に不利になるという課題を有していた。
【０００５】
また、保護網３が一体成形であるため、熱交換器２の大きさが異なればその都度、保護網３を成型する金型が都度必要となり、新たな金型費用が発生するとともに金型の管理が大変になるという課題を有していた。
【０００６】
本発明はこのような従来の課題を解決するものであり、保護網の金型費用を低減し、安価な空気調和機を提供することを目的とする。
【課題を解決するための手段】
【０００７】
前記従来の課題を解決するために、本発明の空気調和機は、熱交換器を内設した室外機の背面に、前記熱交換器の背面を保護する保護網を設け、前記保護網を、それぞれ合成樹脂の押し出し成形で形成され格子状に交差した複数の縦桟と横桟と、前記縦桟と前記横桟の交差部を固定する固定具とで構成したもので、縦桟と横桟を成型する金型は、押し出し成形用の小型の口金だけで済み、また固定具の成形金型も小型化が図れるので、縦桟と横桟を一体に成形した従来の保護網の大型の成形金型と比べ、安価な金型で成形でき、高額な金型費用の発生を抑制し、安価な空気調和機を提供することができる。
【発明の効果】
【０００８】
本発明の空気調和機は、縦桟と横桟を成型する金型は、押し出し成形用の小型の口金だけで済み、また固定具の成形金型も小型化が図れるので、縦桟と横桟を一体に成形した従来の保護網の大型の成形金型と比べ、安価な金型で成形でき、高額な金型費用の発生を抑制し、安価な空気調和機を提供することができる。
【発明を実施するための最良の形態】
【０００９】
第１の発明は、熱交換器を内設した室外機の背面に、前記熱交換器の背面を保護する保
護網を設け、前記保護網を、それぞれ合成樹脂の押し出し成形で形成され格子状に交差した複数の縦桟と横桟と、前記縦桟と前記横桟の交差部を固定する固定具とで構成したもので、縦桟と横桟を成型する金型は、押し出し成形用の小型の口金だけで済み、また固定具の成形金型も小型化が図れるので、縦桟と横桟を一体に成形した従来の保護網の大型の成形金型と比べ、安価な金型で成形でき、高額な金型費用の発生を抑制し、安価な空気調和機を提供することができる。
【００１０】
第２の発明は、特に、第１の発明の縦桟の全長を、横桟の全長の半分にしたもので、あらかじめ横桟を成形しておき、必要本数に応じて横桟を半分に切断することにより、縦桟が得られるので、縦桟と横桟の部品の管理の簡素化が図れ、保護網のコストを低減することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の室外機の背面図で、図２（ａ）は、前記室外機の背面に設けた縦桟と横桟との交差部の平面図、図２（ｂ）は、図２（ａ）のＡ矢視図、図２（ｃ）は、図２（ａ）のＢ矢視図である。
【００１３】
図１および図２において、本実施の形態における空気調和機の室外機１０の背面側を開放状態にし、その内側に熱交換器１２が設けられ、その熱交換器１２の背面を保護する保護網１３が、室外機１０の背面に設けられている。
【００１４】
保護網１３は、合成樹脂の押し出し成形で成形された複数の縦桟１５と、縦桟１５に格子状に交差するように配されると共に同じく合成樹脂の押し成形で成形された複数の横桟１６と、縦桟１５と横桟１６との交差部１８に設けられると共に、縦桟１５と横桟１６を固定する固定具１７から構成されている。固定具１７は、図２に示すように、十字状に成型されると共に、縦桟１５と横桟１６のそれぞれが容易に装着できるように、溝部１７ａが形成されている。
【００１５】
以上のように、本実施の形態における空気調和機の熱交換器１２の背面を保護する保護網１３を、合成樹脂の押し出し成形品の縦桟１５と横桟１６と固定具１７による組み立て構成としたことにより、縦桟１５と横桟１６を一体に成形する場合に必要な大型の成形用金型が不要になり、縦桟１５と横桟１６の押し出し用の口金と、固定具７を成形する小型の金型だけで、保護網１３を構成する部品が成形でき、金型費用の大幅な低減が図れると共に、保護網１３の仕様変更にも柔軟に対応することが出来る。
【００１６】
（実施の形態２）
図３は、本発明の第２の実施の形態における空気調和機の保護網の平面図である。なお、上記第１の実施の形態における空気調和機の保護網と同一部分については、同じ符号を用い、その説明を省略する。
【００１７】
本実施の形態は、図３に示すように、保護網１３の縦桟１５の全長Ｌ１と、横桟１６の全長Ｌ２との関係を、Ｌ１＝Ｌ２／２としたものである。
【００１８】
以上のように、本実施の形態における空気調和機の保護網１３の縦桟１５の全長を、横桟１６の全長の半分としているので、保護網１３の作成時、あらかじめ横桟１６を成形しておき、必要に応じて、横桟６を半分に切断すれば縦桟１５が得られるので、縦桟１５と横桟１６の部品の管理の簡素化が図れ、保護網１３のコストの低減が図れる。
【産業上の利用可能性】
【００１９】
以上のように、本発明にかかる空気調和機は、保護網を構成する縦桟と横桟および、固定具の成形金型が、縦桟と横桟を一体に成形する金型に比べ、小型化、簡素化ができ、金型費用の低減が図れ、保護網のコストを低減することができるもので、空気調和機の用途に広く適用できる。
【図面の簡単な説明】
【００２０】
【図１】本発明の実施の形態１における空気調和機の室外機の背面図
【図２】（ａ）前記室外機の背面に設けた縦桟と横桟との交差部の平面図（ｂ）図２（ａ）のＡ矢視図（ｃ）図２（ａ）のＢ矢視図
【図３】本発明の実施の形態２における空気調和機の保護網の平面図
【図４】従来の空気調和機の室外機の斜視図
【符号の説明】
【００２１】
１０  室外機（空気調和機）
１２  熱交換器
１３  保護網
１５  縦桟
１６  横桟
１７  固定具
１８  交差部
【図１】
2008224169.tif 000003
【図２】
2008224169.tif 000004
【図３】
2008224169.tif 000005
【図４】
2008224169.tif 000006